(57)【特許請求の範囲】
【請求項１】
陸屋根の床面上に配置される底板部と、底板部の後縁から直立した背板部と、背板部に開口して設けられた横排水路と、横排水路開口よりも高い位置に開口して設けられたオーバフロー水路とを備えてなり、横排水路とオーバフロー水路とを一体管内に仕切体で区画して設けたことを特徴とするコーナドレイン。
【請求項２】
陸屋根の床面上に配置される底板部と、底板部の後縁から直立した背板部と、底板部に開口して設けられた縦排水路と、縦排水路開口よりも高い位置に開口して設けられたオーバフロー水路とを備えてなり、縦排水路とオーバフロー水路とを一体管内に仕切体で区画して設けたことを特徴とするコーナドレイン。
【請求項３】
仕切体と一体管とを別個独立に構成するとともに、一体管内の所定仕切位置に仕切体を着脱可能に保持するガイド部を備えてなる請求項１または請求項２に記載のコーナドレイン。
【請求項４】
ガイド部として、横排水路を形成する仕切体を着脱可能に保持する横ガイド部、および、縦排水路を形成する仕切体を着脱可能に保持する縦ガイド部を備えている請求項３に記載のコーナドレイン。
【請求項５】
底板部および背板部の双方とほぼ直交する側板部を底板部および背板部に連結して設け、側板部、底板部、および背板部が交叉する隅部に隣接するとともに側板部、底板部、または背板部のいずれかに開口する一体管を設けてなる請求項１ないし請求項４のいずれかに記載のコーナドレイン。
【発明の詳細な説明】
【０００１】
【発明の属する技術分野】
本発明は、建物のベランダ、バルコニー、屋上などといった陸屋根の床面と立上り面が交叉するコーナ部に設置されるオーバフロー水路付きのコーナドレインに関するものである
【０００２】
【従来の技術】
従来、この種のコーナドレインとしては、例えば実開平１−６７２１９号公報に開示されたものが知られている。図１１に前記公報開示のコーナドレイン１０１を示す。このコーナドレイン１０１は、ベランダ５０（陸屋根の一例）の床面１０上に配置される底板部１０２と、底板部１０２の後縁から直立した背板部１０３と、背板部１０３に開口１０６ａを有する管状の横排水路１０６と、横排水路１０６の開口１０６ａよりも高い位置の背板部１０３に開口１０７ａを有する管状のオーバフロー水路１０７を備えている。
【０００３】
かかる従来のコーナドレイン１０１は、床面１０と正面壁１１とが交叉するコーナ部８に設置され、横排水路１０６を貫通孔１４０に挿通し、オーバフロー水路１０７を貫通孔１４１に挿通した状態で釘などにより仮止めされる。
そうして、床面１０上にプライマー処理が施され、その表面にコーナドレイン１０１を構成するＦＲＰ（繊維強化プラスチックの英略である。以下同じ）となじみやすい合成樹脂（例えばポリエステル樹脂）が厚めに塗られ、このポリエステル樹脂層内にガラス繊維シート１４２が敷き詰められたのち乾燥処理によってＦＲＰ防水層となる。正面壁１１の前面にも、床面１０の場合と同様に、プライマー処理、ポリエステル樹脂塗布、ガラス繊維シート１４４の敷き詰め、および乾燥処理によりＦＲＰ防水層が形成される。
このとき、仮止めされているコーナドレイン１０１の底板部１０２は、開口１０６ａの前方に相当する切欠部１４３を除き、ＦＲＰ防水層の重ね合せ部分１４６で被覆される。一方、背板部１０３は、開口１０７ａおよび開口１０６ａの周縁に相当する切欠部１４５を除き、ＦＲＰ防水層の重ね合せ部分１４７で被覆される。これらにより、雨洩れ防止の工夫がなされている。
【０００４】
【発明が解決しようとする課題】
ところが、従来のコーナドレイン１０１は、ベランダ５０側に２つの貫通孔１４０，１４１を穿設する手間を要し、貫通孔１４０，１４１の穿設位置も注意深く決めなければならない。また、貫通孔周りの雨洩れ対策箇所は当然ながら２箇所必要となる。
一方、ベランダ床面の貫通孔に挿通される縦排水路を備えたコーナドレインも知られている。しかしながら、オーバフロー水路を備えるものであると、縦貫通孔のみならず、正面壁１１にオーバフロー水路挿通用の横貫通孔も穿設しなければならないので、施工が複雑になる。そのため、オーバフロー機能を備えた縦型のコーナドレインは市場に出回っていない。
【０００５】
他方、図１２に示すように、ベランダの床面１０と正面壁１１とが交叉するコーナ部８、側面壁１２と正面壁１１とが交叉するコーナ部１５１、並びに、床面１０と側面壁１２とが交叉するコーナ部１５２の全てが交叉する壁隅部Ｒの近くから排水したい場合がある。ところが、従来のコーナドレイン１０１は、開口１０６ａの側方に底板部１０２、背板部１０３が存在するため、底板部１０２を切断線１５３で切断して切り落し部分１５４を取り除き、背板部１０３を切断線１５５で切断して切り落し部分１５６を取り除かなければ使用できない。このように、切り落し部分１５４，１５６を取り除くと、底板部１０２および背板部１０３に対するＦＲＰ防水層の被覆面積が小さくなって、雨漏りの原因となる。
【０００６】
本発明は、上記した従来の問題点に鑑みてなされたものであって、オーバフロー機能を備えていながら、施工が簡単で雨洩りのしにくいコーナドレインの提供を目的とする。
【０００７】
【課題を解決するための手段】
上記目的を達成するため、本発明に係るコーナドレインは、陸屋根の床面上に配置される底板部と、底板部の後縁から直立した背板部と、背板部に開口して設けられた横排水路と、横排水路開口よりも高い位置に開口して設けられたオーバフロー水路とを備えてなり、横排水路とオーバフロー水路とを一体管内に仕切体で区画して設けた構成にしてある。
【０００８】
また、陸屋根の床面上に配置される底板部と、底板部の後縁から直立した背板部と、底板部に開口して設けられた縦排水路と、縦排水路開口よりも高い位置に開口して設けられたオーバフロー水路とを備えてなり、縦排水路とオーバフロー水路とを一体管内に仕切体で区画して設けたものである。
【０００９】
前記した各構成において、仕切体と一体管とを別個独立に構成するとともに、一体管内の所定仕切位置に仕切体を着脱可能に保持するガイド部を備えたものである。
【００１０】
更に、前記構成において、ガイド部として、横排水路を形成する仕切体を着脱可能に保持する横ガイド部、および、縦排水路を形成する仕切体を着脱可能に保持する縦ガイド部を備えたものである。
【００１１】
また、前記した各構成において、底板部および背板部の双方とほぼ直交する側板部を底板部および背板部に連結して設け、側板部、底板部、および背板部が交叉する隅部に隣接するとともに側板部、底板部、または背板部のいずれかに開口する一体管を設けたものである。
【００１２】
【発明の実施の形態】
本発明の実施の形態を図面に基づいて説明する。
図１は本発明の一実施形態に係るコーナドレインを示す斜視図である。
図において、この実施形態に係るコーナドレイン１は、例えばポリエステル樹脂とガラス繊維から成るＦＲＰで成型されたものであり、ベランダ５０（図９参照）の床面１０上に配置されるＡ面部２（この場合は底板部となる）と、Ａ面部２の後縁から直立したＢ面部３（この場合は背板部となる）と、Ｂ面部３に開口６ａを有して設けられた横排水路６と、前記の開口６ａよりも高い位置のＢ面部３に開口７ａを有して設けられたオーバフロー水路７を備えている。
【００１３】
横排水路６とオーバフロー水路７は、横向きで先細の一体管４内に形成されている。これらの横排水路６とオーバフロー水路７は一体管４と一体で平板状の仕切体５で区画されている。仕切体５の前部下面には突起４０が垂設されている。この突起４０はＡ面部２からの高さｈ１が一体管４先端における横排水路６の内径高さｈ２よりも小さくなる縦寸法に設定されている。これにより、ボールやゴミなどが開口６ａから入っても横排水路６の先端で詰まったりしない。
かかるコーナドレイン１は、ベランダの床面１０と正面壁１１とが交叉するコーナ部８に設置され、正面壁１１に水平に穿設された貫通孔９に一体管４が挿通された状態で釘などにより仮止めされる。尚、Ａ板部２およびＢ板部３の周縁をＦＲＰ防水層で被覆する工事は従来技術と同様であるので、説明は省略する。
【００１４】
前記構成のコーナドレイン１によれば、横排水路６とオーバフロー水路７とが単一の一体管４内に形成されているので、オーバフロー機能を備えているにも拘わらず、正面壁１１側の施工はひとつの貫通孔９を設けるだけで済み、貫通孔９のみの雨洩れ対策施工を行えば足りる。
【００１５】
次に、別の実施形態のコーナドレイン１ａを図２および図３に示す。このコーナドレイン１ａは、床面上に配置されるＡ面部２（この場合は底板部）と、Ａ面部２の後縁から直立したＢ面部３（この場合は背板部）と、Ａ面部２に開口１４ａを有して設けられた縦排水路１４と、縦排水路１４の開口１４ａよりも高い位置のＢ面部３に開口１５ａを有して設けられたオーバフロー水路１５を備えている。
【００１６】
縦排水路１４とオーバフロー水路１５とは縦向きの一体管１３内に形成されており、これらの縦排水路１４とオーバフロー水路１５は平板状の仕切体１６で区画されている。仕切体１６は一体管１３と一体に形成されている。尚、図示はしていないが、前記したコーナドレイン１の突起４０と同等機能の突起を、縦排水路１４内の開口１４ａ近傍に設けてもよい。
このコーナドレイン１ａも、床面１０（図１参照）と正面壁１１とが交叉するコーナ部８に設置され、床面１０に縦向きに穿設された縦貫通孔（図示省略）に一体管１３が挿通されて使用される。
【００１７】
かかる構成のコーナドレイン１ａによれば、縦排水路１４とオーバフロー水路１５とが単一の一体管１３内に形成されているので、オーバフロー機能を備えているにも拘わらず、オーバフロー水路挿通用の横貫通孔を正面壁１１に穿設する必要がなく、工事が簡単で済み雨洩り対策も楽である。これにより、オーバフロー機能を有する実用的な縦型のコーナドレインが提供される。
【００１８】
続いて、他の実施形態のコーナドレインを図４に示す。このコーナドレイン１ｂでは、Ｂ面部３（ここでは背板部となる）に開口１８ａ，１９ａ，２０ａを有して設けられた先細の一体管１７と、長尺平板状の仕切体２１とが別個独立に構成されている。仕切体２１の前部下面にも突起４０が設けられている。
一体管１７内で上からほぼ１／３位の位置（Ｂ面部３を背板部として用いる場合の所定仕切位置）の両側には、仕切体２１を着脱可能に保持する横ガイド部２２，２２（ガイド部の一例）が形成されている。これらの横ガイド部２２，２２は図４の紙面と直角奥向き（背方に向けて）に刻設されている。
【００１９】
一体管１７内で下からほぼ１／３位の位置（図５で後述するように、Ｂ面部３を底板部として用いる場合の所定仕切位置）の両側には、後述する縦用の仕切体２４（図５）を着脱可能に保持する縦ガイド部２３，２３（ガイド部の別例）が形成されている。これらの縦ガイド部２３，２３も図４の紙面と直角奥向きに刻設されている。
これにより、一体管１７の内部は、Ａ面部２側から順に、Ａ面部２と縦ガイド部２３の間が水路２０となり、縦ガイド部２３と横ガイド部２２の間が水路１９となり、横ガイド部２２の上側が水路１８となっている。そこで、横ガイド部２２，２２に仕切体２１を装着すると、水路１８がオーバフロー水路となり、水路１９および２０により横排水路が形成される。
【００２０】
他方、前記のコーナドレイン１ｂは、図５に示すように、前後９０度傾けると、Ｂ面部３を底板部としＡ面部２を背板部として用いることができる。その場合は、上述した仕切体２１に代えて、縦排水路形成用の仕切体２４が使用される。この仕切体２４は、長尺板状の板部２５と、板部２５の上部両側縁および上端縁から背方へ向けて延在する周壁部２６とから構成され、板部２５の上部にはオーバフロー水路用の開口２０ｂが形成されている。
そこで、縦ガイド部２３，２３に仕切体２４の板部２５を装着すると、水路２０がオーバフロー水路となり、水路１９および１８が縦排水路となる。このとき、Ｂ面部３上に突出した仕切体２４の背部は、周壁部２６とＡ面部２に囲まれてオーバフロー水路の一部分を成す。
【００２１】
そして、図６に示すように、更なる実施形態のコーナドレイン１ｃは、前述したコーナドレイン１ｂと基本構造は同じであるが、Ａ板部２およびＢ板部３の双方と直交するＣ板部２７がＡ板部２の端縁およびＢ板部３の端縁に一体に連結されている。また、Ａ板部２、Ｂ板部３、およびＣ板部２７が交叉する隅部Ｓと隣接する位置で、Ｂ板部３には一体管１７の開口１８ａ，１９ａ，２０ａが設けられている。
【００２２】
前記構成のコーナドレイン１ｃは、図７に示すように、床面１０と正面壁１１と側面壁１２のいずれもが交わる壁隅部（図１２の符号Ｒ参照）に設置される。この場合、コーナドレイン１ｃの一体管１７が挿通される横貫通孔（図示省略）は正面壁１１に形成されている。
そこで、コーナドレイン１ｃは、一体管１７が正面壁１１の横貫通孔に挿通され、Ａ板部２が底板部として床面１０上に、Ｂ板部３が背板部として正面壁１１にあてがわれ、Ｃ板部２７が側板部として側面壁１２にあてがわれた状態に配置される。
前記のように配置すると、床面１０を被うＦＲＰ防水層によるＡ板部２の重ね合せ部分２８、および正面壁１１を被うＦＲＰ防水層によるＢ板部３の重ね合せ部分２９のみならず、側面壁１２を被うＦＲＰ防水層によっても、Ｃ板部２７を広い面積で被う重ね合せ部分３０が形成される。
【００２３】
従って、このコーナドレイン１ｃは各板部２，３，２７がＦＲＰ防水層により十分に被覆保持されるので、接着強度が高い。これにより、経年使用中に強風などの振動を受けてもコーナドレイン１ｃが各板部２，３，２７から脱離しにくく、雨漏りも生じない。
一方、このコーナドレイン１ｃは、ベランダ壁隅部の床面１０に穿設された縦貫通孔（図示省略）に一体管１７を縦向きに挿通し、仕切体２１に代えて仕切体２４（図６）を使用することにより、縦型として用いる場合も同様に高強度であり雨漏りしにくい。
【００２４】
上記した各実施形態では、仕切体２１または２４を着脱可能に保持するガイド部として、図８（ａ）に示すように、一体管１７の内面に刻設した角溝状のガイド部２２または２３を例示したが、本発明のガイド部はそれに限定されるものでない。例えば、同図（ｂ）に示すように、溝３２の上下位置で内向きに突出した三角リブ３１，３１によりガイド部を構成することも可能である。あるいは、同図（ｃ）に示すように、一体管１７の内面に内向きに突出した角リブ３３，３３でガイド部を構成してもよい。
【００２５】
ところで、これまでの実施形態では平板状の仕切体５，１６，２１，２４（板部２５）を例示したが、図９に示した更に別のコーナドレイン１ｄのように、横向きの一体管４１内の上部に筒状の仕切体４２を固定具４３で支持したものも本発明に含まれる。すなわち、コーナドレイン１ｄでは、仕切体４２の筒内にオーバフロー水路４５が形成され、仕切体４２の周りに横排水路４４が形成される。この場合も、仕切体４２を一体管４１と別個独立にして固定具４３に対し着脱可能に構成してよい。
一方、かかる筒状の仕切体４２を縦型コーナドレインに用いる場合は、縦排水路内に配備される仕切体４２の上側開口を縦排水路の開口よりも高い位置に設定すればよい。
【００２６】
他方、図１０に示した更に他のコーナドレイン１ｅのように、横向きの一体管４１内の上部に、横幅が短かい板状の仕切体４６を固定具４７で吊持したものも例に挙げられる。すなわち、このコーナドレイン１ｅでは、仕切体４６の上方にオーバフロー水路４９が形成され、仕切体４６の下方に横排水路４８が形成される。このとき、仕切体４６の側面と一体管４１の内面の隙間を通って、横排水路４８とオーバフロー水路４９間で一部の水が行き来することが考えられるが、通常時は横排水路４８しか使用されないので問題ない。このコーナドレイン１ｅも、仕切体４６を一体管４１と別個独立にして固定具４７に対し着脱可能に構成することが可能である。
【００２７】
尚、一体管４，１３，１７，４１は角筒状のものを例示したが、管形状は角筒状に限るものでなく、例えば円筒状その他でも構わない。
そして、本発明のコーナドレインを構成する材質は上述のＦＲＰに限らず、例えば金属、合成ゴム、木などを用いることが可能である。
【００２８】
【発明の効果】
以上詳述したように、本発明に係るコーナドレインによれば、横排水路とオーバフロー水路とが単一の一体管内に設けられているので、オーバフロー機能を備えているにも拘わらず、陸屋根側の施工を簡素化でき、十分な雨洩れ対策をすることができる。
【００２９】
また、縦排水路とオーバフロー水路とが単一の一体管内に設けられているので、前述の横型コーナドレインの場合と同様、陸屋根側の施工が簡素化されるのは無論のこと、オーバフロー機能付きの有用な縦型コーナドレインを実現化できる。
【００３０】
そして、一体管内の所定仕切位置に、別個独立の仕切体を着脱可能に保持するガイド部を備えた場合は、一体管部分の筒成型が簡素化される。また、必要に応じて仕切体を取り外しオーバフロー水路と排水路を合わせることにより、大径の排水路としても使用できる。
【００３１】
更に、横排水路を形成する仕切体を着脱可能に保持する横ガイド部、および、縦排水路を形成する仕切体を着脱可能に保持する縦ガイド部の双方を備えている場合は、横型用の仕切体および縦型用の仕切体をオプション部品として保有するだけで、ひとつのドレイン本体を横型と縦型とに使い分けることができる。これにより、現場での作業の融通性が高まる。
【００３２】
また、底板部および背板部の双方とほぼ直交する側板部を底板部および背板部に連結して設け、側板部、底板部、および背板部が交叉する隅部に隣接するとともに側板部、底板部、または背板部のいずれかに開口する一体管を設けた場合は、側板部、底板部、および背板部のいずれもが例えばＦＲＰ防水層などにより十分に被覆保持されるので、接着強度が高い。従って、経年使用中に強風などの振動を受けても、コーナドレインが側板部、底板部、および背板部から脱離しにくく、雨漏りも生じにくい。また、陸屋根の最も壁隅に排水路とオーバフロー水路が存在することとなるので、陸屋根のスペースを有効に活用することができる。
【図面の簡単な説明】
【図１】本発明の一実施形態に係るコーナドレインを示す斜視図である。
【図２】本発明の別の実施形態に係るコーナドレインを示す斜視図である。
【図３】図２におけるＹ−Ｙ線矢視断面図である。
【図４】本発明の他の実施形態に係るコーナドレインを示す正面図である。
【図５】図４のコーナドレインの使用態様を示す説明図である。
【図６】本発明の更なる実施形態に係るコーナドレインを示す正面図である。
【図７】図６のコーナドレインの使用態様を示す説明図である。
【図８】本発明の実施形態に用いられる種々のガイド部を示す正断面図である。
【図９】本発明の更に別の実施形態に係るコーナドレインを示す正面図である。
【図１０】本発明の更に他の実施形態に係るコーナドレインを示す正面図である。
【図１１】従来のコーナドレインを施工する態様を示す説明図である。
【図１２】従来のコーナドレインをベランダの床面、正面壁、側面壁が交叉する壁隅部に設置する態様を示す説明図である。
【符号の説明】
１，１ａ，１ｂ，１ｃ，１ｄ，１ｅ  コーナドレイン
２      Ａ板部
３      Ｂ板部
４      一体管
５      仕切体
６      横排水路
６ａ    開口
７      オーバフロー水路
７ａ    開口
１０    床面
１３    一体管
１４    縦排水路
１４ａ  開口
１５    オーバフロー水路
１５ａ  開口
１６    仕切体
１７    一体管
１８    水路
１８ａ  開口
１９    水路
１９ａ  開口
２０    水路
２０ａ  開口
２０ｂ  開口
２１    仕切体
２２    横ガイド部
２３    縦ガイド部
２４    仕切体
２５    板部
２７    Ｃ板部
４１    一体管
４２    仕切体
４４    横排水路
４５    オーバフロー水路
４６    仕切体
４８    横排水路
４９    オーバフロー水路
５０    ベランダ
Ｓ      隅部
【図１】
0004283975.tif 000002
【図２】
0004283975.tif 000003
【図３】
0004283975.tif 000004
【図４】
0004283975.tif 000005
【図５】
0004283975.tif 000006
【図６】
0004283975.tif 000007
【図７】
0004283975.tif 000008
【図８】
0004283975.tif 000009
【図９】
0004283975.tif 000010
【図１０】
0004283975.tif 000011
【図１１】
0004283975.tif 000012
【図１２】
0004283975.tif 000013